(57)【要約】【課題】移動体通信の端末同士が互いに相手を呼び出している場合に、その一方の端末を強制的に待ち受け状態にすることで、他方の端末からの呼び出しを着信可能にして、速やかに通話可能にする。【解決手段】ネットワーク２を介して複数の端末ＰＳ１，ＰＳ２間で双方向音声呼を中継する通信システムの基地局ＣＳ１（ＣＳ２）であって、相互に呼び出しを掛けた関係にある端末を検知する相互呼出端末検知部１７と、該相互呼出端末検知部１７が検知した相互呼び出しを掛けた複数の端末ＰＳ１，ＰＳ２のうちの自局カバーエリア内の端末ＰＳ１（ＰＳ２）からの発呼信号を切断して待ち受け状態にして着信可能にする着信制御部１８と、を備える。【選択図】図２
2009033458.tif 000002
【特許請求の範囲】
【請求項１】
ネットワークを介して複数の端末間で双方向音声呼を中継する通信システムの基地局であって、
相互に呼び出しを掛けた関係にある端末を検知する相互呼出端末検知部と、
該相互呼出端末検知部が検知した相互呼び出しを掛けた前記複数の端末のうちの自局カバーエリア内の端末からの発呼信号を切断して待ち受け状態にして着信可能にする着信制御部と、を備えることを特徴とする基地局。
【請求項２】
着信制御部は、他の基地局と相互にネゴシエーションを行い、同一のルールの下で電話番号または端末識別番号の情報を用いて、前記自局カバーエリア内の端末からの発呼信号を切断するか否かを判断することを特徴とする請求項１に記載の基地局。
【請求項３】
双方向音声呼を中継する各一の基地局を介してネットワークに接続される複数の端末間で通話する通信方法であって、
相互に呼び出しを掛けた関係にある複数の端末を検知し、
検知した相互呼び出しを掛けた関係にある前記複数の端末のうちの一つの端末からの発呼信号を切断し待ち受け状態として着信させることを特徴とする通信方法。
【請求項４】
前記基地局がカバーエリア内の端末から発呼信号を受けた時点で、ネットワークを介して、前記相互に呼び出しを掛けた関係にある相手側の端末から、前記カバーエリア内の端末への呼び出しがあったか否かを検知し、
前記呼び出しを検知した場合は、前記カバーエリア内の端末からの発呼信号を切断して前記カバーエリア内の端末を待ち受け状態として着呼させることを特徴とする請求項３に記載の通信方法。
【請求項５】
前記基地局がカバーエリア内の端末から発呼信号を受けた時点で、ネットワークを介して、前記相互に呼び出しを掛けた関係にある相手側の端末から、前記カバーエリア内の端末への呼び出しがあったか否かを検知し、
前記呼び出しを検知していない場合は、前記カバーエリア内の端末から前記相手側の端末へネットワークを介して呼び出しを行い、その後、前記ネットワークを介して前記相手側の端末からの呼び出しが検知された場合、各基地局が相互にネゴシエーションを行った上で、前記相手側の端末への呼び出し状態維持か前記発呼信号を切断するかを判断し、
相互に呼び出しを掛けた関係にある前記複数の端末のうちのいずれか１つの端末を待ち受け状態にすることにより着呼させることを特徴とする請求項３に記載の通信方法。
【請求項６】
前記他方の端末への呼び出し状態維持か発呼信号を切断するかの判断は、各基地局間同一のルールの下で、電話番号または端末識別番号の情報を用いて判断することを特徴とする請求項５に記載の通信方法。
【発明の詳細な説明】
【技術分野】
【０００１】
本発明は、基地局を介して複数の端末間で双方向の通話を行う通信システムの基地局および通信方法に関する。
【背景技術】
【０００２】
一般に、電話回線において、特定の番号への呼が殺到して繋がらない状況を解消するための電話応対サービスとして、音声ガイダンスにて空端末がないことを通知するサービス、例えば、「話中であるため掛け直しを通知する」サービスや「繋がると予測される待ち時間を通知」するサービスなどが提供されている（例えば、特許文献１参照）。しかし、同時に互いの端末に呼び出しを行って繋がらない場合の考慮はなされていない。
【特許文献１】特開平１０−１７３７８０号公報
【発明の開示】
【発明が解決しようとする課題】
【０００３】
ところで、基地局を介して通信を行う携帯電話機やＰＨＳ等の移動体通信の端末同士で通話を行おうとした場合に、たまたま同時に各端末から互いに相手に呼び出しを行ってしまうことがある。この場合いずれの端末も待ち受け状態ではないため、呼び出し信号を相手の端末に着信させることができない。
【０００４】
図９は、この着信不可となる場合の説明図である。この図では、一方の端末ＰＳ１および他方の端末ＰＳ２が略同時に発呼信号を出力し、それぞれ基地局ＣＳ１、ＣＳ２およびネットワーク２上のセンター局３を介して呼び出しを行っても、いずれの端末ＰＳ１、ＰＳ２も発呼中であるため、着呼できない。
【０００５】
これは、移動体通信の端末ＰＳ１が基地局ＣＳ１を介してネットワーク２内のセンター局３に接続され、センター局３は相手端末ＰＳ２の最寄りの基地局を探して接続しなければならないため、接続時間が掛かり固定電話と比べて互いに呼び出し合いを行う確率が大きいためである。
【０００６】
本発明は前記のような従来の問題を解消するためになされたものであり、移動体通信の端末同士が互いに相手を呼び出している場合に、その一方の端末を強制的に待ち受け状態にすることで、他方の端末からの呼び出しを着信可能にして、速やかに通話可能にする基地局および通信方法を得ることを目的とする。
【課題を解決するための手段】
【０００７】
前記目的達成のために、本発明にかかる基地局は、ネットワークを介して複数の端末間で双方向音声呼を中継する通信システムの基地局であって、相互に呼び出しを掛けた関係にある端末を検知する相互呼出端末検知部と、該相互呼出端末検知部が検知した相互呼び出しを掛けた前記複数の端末のうちの自局カバーエリア内の端末からの発呼信号を切断して待ち受け状態にして着信可能にする着信制御部と、を備えることを特徴とする。
この構成により、移動体通信の端末同士が互いに相手を呼び出している場合に、その一方の端末を強制的に待ち受け状態にすることで、他方の端末からの呼び出しを着信可能にして、速やかに通話可能にすることができる。
【０００８】
さらに、本発明にかかる基地局は、着信制御部は、他の基地局と相互にネゴシエーションを行い、同一のルールの下で電話番号または端末識別番号の情報を用いて、前記自局カバーエリア内の端末からの発呼信号を切断するか否かを判断することを特徴とする。
この構成により、電話番号または端末識別番号を用いて、相互にネゴシエーションを行って、どちらの基地局が呼び出しを受ける状態維持とするか、発呼信号切断とするかの役割分担の判断を行って、着信可能とすることができる。
【０００９】
また、本発明にかかる通信方法は、双方向音声呼を中継する各一の基地局を介してネットワークに接続される複数の端末間で通話する通信方法であって、相互に呼び出しを掛けた関係にある複数の端末を検知し、検知した相互呼び出しを掛けた関係にある前記複数の端末のうちの一つの端末からの発呼信号を切断し待ち受け状態として着信させることを特徴とする。
これにより、移動体通信の端末同士が互いに相手を呼び出している場合に、その一方の端末を強制的に待ち受け状態にすることで、他方の端末からの呼び出しを着信可能にして、速やかに通話可能にする。
【００１０】
また、本発明にかかる通信方法は、前記基地局がカバーエリア内の端末から発呼信号を受けた時点で、ネットワークを介して、前記相互に呼び出しを掛けた関係にある相手側の端末から、前記カバーエリア内の端末への呼び出しがあったか否かを検知し、前記呼び出しを検知した場合は、前記カバーエリア内の端末からの発呼信号を切断して前記カバーエリア内の端末を待ち受け状態として着呼させることを特徴とする。
これにより、カバーエリア内の端末から発呼信号を受けた時点で、ネットワークを介して相互に呼び出しを掛けた関係にある相手側の端末から呼び出しがあった場合に、カバーエリア内の端末を強制的に待ち受け状態にすることで、相手側の端末からの呼び出しを着信可能にして、速やかに通話可能にする。
【００１１】
また、本発明にかかる通信方法は、前記基地局がカバーエリア内の端末から発呼信号を受けた時点で、ネットワークを介して、前記相互に呼び出しを掛けた関係にある相手側の端末から、前記カバーエリア内の端末への呼び出しがあったか否かを検知し、前記呼び出しを検知していない場合は、前記カバーエリア内の端末から前記相手側の端末へネットワークを介して呼び出しを行い、その後、前記ネットワークを介して前記相手側の端末からの呼び出しが検知された場合、各基地局が相互にネゴシエーションを行った上で、前記相手側の端末への呼び出し状態維持か前記発呼信号を切断するかを判断し、相互に呼び出しを掛けた関係にある前記複数の端末のうちのいずれか１つの端末を待ち受け状態にすることにより着呼させることを特徴とする。
これにより、カバーエリア内の端末から発呼信号を受けた時点で、ネットワークを介して相互に呼び出しを掛けた関係にある相手側の端末から呼び出しが未だ無く、相手側の端末へネットワークを介して呼び出しを行い、他方の基地局も同様の状態の場合は、相互にネゴシエーションを行って、どちらの基地局が呼び出しを受ける状態維持とするか、発呼信号切断とするかの役割分担の判断を行って、着信可能とすることができる。
【００１２】
また、本発明にかかる通信方法は、前記他方の端末への呼び出し状態維持か発呼信号を切断するかの判断は、各基地局間同一のルールの下で、電話番号または端末識別番号の情報を用いて判断することを特徴とする。
これにより、電話番号または端末識別番号を用いて、相互にネゴシエーションを行って、どちらの基地局が呼び出しを受ける状態維持とするか、発呼信号切断とするかの役割分担の判断を行って、着信可能とすることができる。
【発明の効果】
【００１３】
本発明によれば、移動体通信の端末同士が互いに相手を呼び出している場合に、その一方の端末を強制的に待ち受け状態にすることで、他方の端末からの呼び出しを着信可能にして、速やかに通話可能にすることができる。
【発明を実施するための最良の形態】
【００１４】
以下に、本発明の実施の形態を、図面を参照して説明する。
図１は本実施の形態に係る通信方法および基地局の後述の（イ）の場合の説明図、図２は本実施の形態に係る基地局の要部の構成を示すブロック図、図３は実施の形態に係る通信方法および基地局の後述の（ロ）の場合の説明図である。
図１において、本実施の形態に係る通信方法および基地局を用いた通信システム１では、端末ＰＳ１は基地局ＣＳ１のカバーエリア内に存在しており、端末ＰＳ２は基地局ＣＳ２のカバーエリア内に存在している。基地局ＣＳ１、ＣＳ２は、ネットワーク２上のセンター局３を介して接続されている。実際には、これらと同様の多数の基地局がネットワーク２に接続されており、それらの基地局のカバーエリア内には多数の端末が存在する。
【００１５】
図２に示すように、基地局ＣＳ１（ＣＳ２）は、アンテナ１１に接続され後述の信号処理部１３からの信号をＲＦ信号に変換したり、逆に受信したＲＦ信号を信号処理部１３が扱えるように変換する無線通信部１２、受信した信号または送信する信号を処理する信号処理部１３、信号の変調または復調を行う変復調部１４、ネットワーク２に接続される外部Ｉ／Ｆ部１５、信号処理部１３及び変復調部１４を制御する制御部１６によって構成され、制御部１６は、相互呼出端末検知部１７および着信制御部１８を有している。
基地局ＣＳ１、ＣＳ２はそれぞれアンテナ１１を通じて移動局である端末ＰＳ１、ＰＳ２にそれぞれ無線回線によって接続される。
基地局ＰＳ１、ＰＳ２は、制御部１６により端末ＰＳ１、ＰＳ２からの発呼、端末ＰＳ１、ＰＳ２への着呼、端末ＰＳ１、ＰＳ２のチャネル切換えなどの制御を行う。
【００１６】
相互呼出端末検知部１７は、相互に呼び出しを掛けた関係にある複数の端末ＰＳ１、ＰＳ２を検知する。
着信制御部１８は、相互呼出端末検知部１７が検知した相互呼び出しを掛けた複数の端末ＰＳ１、ＰＳ２のうちの自局カバーエリア内の端末からの発呼信号を切断して待ち受け状態にして着信可能にする。また、着信制御部１８は、他の基地局と相互にネゴシエーションを行った上で、同一のルールの下で電話番号または端末識別番号の情報を用いて、自局カバーエリア内の端末からの発呼信号を切断するか否かを判断することもできる。
【００１７】
次に、図１および図２を参照しながら本実施の形態に係る通信方法および基地局の動作を説明する。
図１に示す通信システム１においては、通常、発信者が端末ＰＳ１から端末ＰＳ２の電話番号にダイヤルをすると、基地局ＣＳ１を通じてネットワーク２上のセンター局３に端末ＰＳ２が位置登録された基地局情報の問い合わせが行われる。この基地局情報は端末ＰＳ２の電話番号から検索される。検索された基地局情報に基づき、基地局ＣＳ２から着信者の端末ＰＳ２を呼び出し、着信者の応答により通話が開始される。
端末ＰＳ２において端末ＰＳ１の番号にダイヤルする場合にも、前記同様の手順で実施される。
各基地局ＣＳ１、ＣＳ２は、アンテナ１１を通じて端末と無線通信によって接続され、各端末からの発呼、端末への着呼、端末のチャネル切り換えなどの制御を行う。
【００１８】
本実施の形態では、図１に示す通信システム１において、端末ＰＳ１および端末ＰＳ２が略同時に発呼信号を出力する（端末ＰＳ１、ＰＳ２が相互呼び出しを掛ける）場合に着呼できないという問題を解決するために以下のように制御を行う。
端末ＰＳ１、ＰＳ２が相互呼び出しを掛けた場合、各基地局ＣＳ１、ＣＳ２において、基地局ＣＳ１、ＣＳ２に設けられた相互呼出端末検知部１７が、相互に呼び出しを掛けた関係にある前記端末ＰＳ１、ＰＳ２同士を検知する。
また、着信制御部１８は、相互呼出端末検知部１７が検知した相互呼び出しを掛けた前記各端末ＰＳ１、ＰＳ２のうちの一つの端末ＰＳ１からの呼び出しを切断して、この端末ＰＳ１を待ち受け状態にし、ネットワーク２上におけるセンター局３からの接続信号により端末ＰＳ２からの呼び出しを端末ＰＳ１に着信させる。
【００１９】
次に、本実施の形態に係る通信方法をさらに詳細に説明するため、（イ）１つの基地局で他方の端末からの呼び出しを一方の端末に着信させるように制御する場合と、（ロ）２つの基地局で他方の端末からの呼び出しを一方の端末に着信させるように制御する場合と、に分けて説明する。
【００２０】
（イ）１つの基地局で一方の端末からの呼び出しを他方の端末に着信させる場合。
図１に示すように、基地局にそのカバーエリア内の端末から発呼した時点で、ネットワーク２を介して当該端末への呼び出しが既にある場合は、１つの基地局で一方の端末からの呼び出しを他方の端末に着信させるように制御する。
【００２１】
図１に示すように、この場合は、例えば、基地局ＣＳ２がカバーエリア内の端末ＰＳ２から発呼信号を受信した時点で、基地局ＣＳ２内の相互呼出端末検知部１７がネットワーク２を介して端末ＰＳ１から端末ＰＳ２への呼び出しが既にあったことを検知する。すると、着信制御部１８は、ＰＳ２への呼び出しの検知結果に従って、発呼信号を受けた端末ＰＳ２からの発呼信号を切断して、端末ＰＳ２を待ち受け状態にする。
【００２２】
この待ち受け状態のときには、端末ＰＳ１はネットワーク２からの接続信号により端末ＰＳ２に呼び出し信号を送出している。このため、端末ＰＳ１からの呼び出し信号をＰＳ２が着信して、端末ＰＳ１，ＰＳ２相互で通話が可能になる。この動作は、基地局ＣＳ１が端末ＰＳ１から発呼信号を受けた時点で、ネットワーク２を介して端末ＰＳ２から端末ＰＳ１へ呼び出しがあったことを検知した場合にも同様となる。
【００２３】
（ロ）２つの基地局で他方の端末からの呼び出しを一方の端末に着信させる場合。
図３に示すように、一方の基地局にそのカバーエリア内の端末から発呼した時点では、ネットワーク２を介しての当該端末への呼び出しが未だなく、他方の基地局も同様の状態の場合は、２つの基地局で他方の端末からの呼び出しを一方の端末に着信させるように制御する。
【００２４】
図３に示すように、この場合には、例えば、基地局ＣＳ２がカバーエリア内の端末ＰＳ２から発呼信号を受けた時点では、基地局ＣＳ２内の相互呼出端末検知部１７はネットワーク２を介して端末ＰＳ１から端末ＰＳ２への呼び出しを検知しておらず、よってネットワーク２を介してＰＳ１への呼び出しを行う。その後、ネットワーク２を介しての端末ＰＳ２への呼び出しが検知される。
また同様に、基地局ＣＳ１がカバーエリア内の端末ＰＳ１から発呼信号を受けた時点では、基地局ＣＳ１内の相互呼出端末検知部１７はネットワーク２を介して端末ＰＳ２から端末ＰＳ１への呼び出しを検知しておらず、よってネットワーク２を介してＰＳ２への呼び出しを行う。その後、ネットワーク２を介しての端末ＰＳ１への呼び出しが検知される。
【００２５】
すると、各基地局ＣＳ１、ＣＳ２の各着信制御部１８は相互にネゴシエーションを行って、どちらの基地局が呼び出しを受ける状態維持とするか、発呼信号切断とするかの役割分担の判断を行う。
この場合の判断には、各基地局ＣＳ１、ＣＳ２は同一のルールの下で、電話番号や端末識別番号（ＰＳ−ＩＤ）等の情報を活用する。上記ルールとしては、例えば、電話番号（あるいは端末識別番号）を数値として認識し、この２つの数値の大きさを比較して大きい方（あるいは小さい方）の端末を状態維持し、小さい方（あるいは大きい方）の端末を発呼信号切断とする、などのルールを適用すればよい。
【００２６】
上記同一のルールの基で各基地局ＣＳ１、ＣＳ２がそれぞれ判断を行って、端末ＰＳ１を状態維持とする場合は端末ＰＳ２を発呼信号切断とし、端末ＰＳ１を発呼信号切断とする場合は端末ＰＳ２を状態維持とする。
【００２７】
次に、本実施の形態における端末の制御シーケンスを図を参照して説明する。
本実施の形態における端末の制御シーケンスは、図４に示すように、無線区間のリンクを確立するためのリンクチャネル確立フェーズで実施される。
【００２８】
このリンクチャネル確立フェーズは、呼接続に必要な品質、音量、チャネルおよび次フェーズの呼接続に必要なプロトコル種別を選択する段階である。また、このリンクチャネル確立フェーズでは、端末から基地局に対しリンクチャネル確立要求を行うと、端末から基地局にリンクチャネルの割り当てがなされ、さらに同期バーストの交換を行った後で、端末からＣＣ呼設定（呼設定メッセージ）が基地局に対してなされる。
【００２９】
なお、上記端末−基地局間のプロトコルは、ＲＣＲ  ＳＤＴ−２８（社団法人電波産業会：ＡＲＩＢ）によってやり取りされる。
【００３０】
このＣＣ呼設定は、電話中にユーザデータを伝送できる高速付随制御チャネル（ＦＡＣＣＨ）を使って行われる。このとき基地局は、発番号（発信元の電話番号）および着番号（着信先の電話番号）を取得する。そして基地局は、その呼設定メッセージが正当であることを確認し、正当である場合には、その呼を処理していることを表示する呼設定受付メッセージを端末に送信し、呼受付状態に遷移する。この呼設定受付のデータもＦＡＣＣＨチャネルを使って行われる。
【００３１】
なお、着信先の端末識別番号（ＰＳ−ＩＤ）が分かる場合は、上記電話番号と同様に扱われる。
【００３２】
本実施の形態では、前記ＣＣ呼設定およびＣＣ呼設定受付が、端末とネットワーク２側とから送信される電話番号や端末識別番号（ＰＳ−ＩＤ）を用いて実施される。これらの電話番号や端末識別番号（ＰＳ−ＩＤ）は、図５に示すようなＦＡＣＣＨスロット中のＩフォーマットに含まれている（なお、図中の数字はビット数を示す）。
【００３３】
また、ネットワーク２から基地局および端末への制御シーケンスは、図６に示すように、ネットワーク２から基地局に対し「ネットワーク呼設定」のメッセージを行うと、基地局は端末に対し着呼が行われる。このネットワーク呼設定は、Ｑ９３１−ｂ（ＩＴＵ−Ｔ勧告）に規定されており、基地局−ネットワーク間のプロトコルＱ９３１−ｂの構成は図７のように規定されている。さらに、Ｑ９３１−ｂはＱ９２１−ｂにて定義されているプリミティブを用いており、図８にＱ９２１−ｂのフォーマットを示す。
【００３４】
なお、上記の説明では、１基地局で一方の端末からの発呼を切断する場合を示したが、２基地局間で各一方の端末からの発呼を切断する場合には、各基地局は、図４におけるＣＣ呼設定があったとき、発番号と着番号を取得し、端末に着呼する。相手のＰＳ−ＩＤが分かる場合は電話番号同様に扱うことができる。
【図面の簡単な説明】
【００３５】
【図１】本実施の形態に係る通信方法および基地局の（イ）の場合の説明図である。
【図２】本実施の形態に係る基地局の要部の構成を示すブロック図である。
【図３】実施の形態に係る通信方法および基地局の後述の（ロ）の場合の説明図である。
【図４】端末および基地局間における発呼シーケンスを示すシーケンス図である。
【図５】ＣＣ呼設定におけるＦＡＣＣＨスロットの構成図である。
【図６】ネットワークおよび端末間における着呼シーケンスを示すシーケンス図である。
【図７】基地局−ネットワーク間のプロトコルＱ９３１−ｂの構成図である。
【図８】Ｑ９２１−ｂのフォーマットを示す図である。
【図９】従来の通信方法および基地局の説明図である。
【符号の説明】
【００３６】
ＰＳ１、ＰＳ２  端末
ＣＳ１、ＣＳ２  基地局
１  通信システム
２  ネットワーク
３  センター局
１１  アンテナ
１２  無線通信部
１３  信号処理部
１４  変復調部
１５  外部Ｉ／Ｆ部
１６  制御部
１７  相互呼出端末検知部
１８  着信制御部
【図１】
2009033458.tif 000003
【図２】
2009033458.tif 000004
【図３】
2009033458.tif 000005
【図４】
2009033458.tif 000006
【図５】
2009033458.tif 000007
【図６】
2009033458.tif 000008
【図７】
2009033458.tif 000009
【図８】
2009033458.tif 000010
【図９】
2009033458.tif 000011